(57)【要約】【課題】槽内の水を循環させる循環水路にフィルタを備える構成の洗濯機に関し、フィルタの必要性が高い運転では、フィルタによる異物の捕獲機能を十分に活用することができ、一方、フィルタの必要性が低い運転では、フィルタの影響を排除して、循環水による洗浄効果を十分に発揮することができる構成を提供する。【解決手段】本実施形態に係る洗濯機は、水槽と、前記水槽内に回転可能に設けられる回転槽と、前記回転槽の内周面に設けられ、前記水槽内の水を循環させる循環水路と、前記循環水路の一部に設けられ、アタッチメントが着脱可能に取り付けられるアタッチメント取付部と、を備え、前記アタッチメント取付部は、フィルタを有するフィルタアタッチメントが取り付け可能であるとともに、前記フィルタアタッチメントに代えて、前記フィルタアタッチメントとは異なる種類のアタッチメントも取り付け可能である。【選択図】図２
2019024526.tif 000002
【特許請求の範囲】
【請求項１】
水槽と、
前記水槽内に回転可能に設けられる回転槽と、
前記回転槽の内周面に設けられ、前記水槽内の水を循環させる循環水路と、
前記循環水路の一部に設けられ、アタッチメントが着脱可能に取り付けられるアタッチメント取付部と、
を備え、
前記アタッチメント取付部は、フィルタを有するフィルタアタッチメントが取り付け可能であるとともに、前記フィルタアタッチメントに代えて、前記フィルタアタッチメントとは異なる種類のアタッチメントも取り付け可能である洗濯機。
【請求項２】
前記フィルタアタッチメントとは異なる種類のアタッチメントは、前記アタッチメント取付部を塞ぐカバーアタッチメントである請求項１に記載の洗濯機。
【請求項３】
前記カバーアタッチメントは、前記循環水路内を循環する水を前記回転槽内に吐出する吐出口を備える請求項２に記載の洗濯機。
【請求項４】
前記循環水路のうち前記アタッチメント取付部以外の部分に、前記循環水路内を循環する水を前記回転槽内に吐出する吐出口を備える請求項２に記載の洗濯機。
【請求項５】
前記アタッチメントと前記アタッチメント取付部との間を水密に塞ぐパッキンを備える請求項１から４の何れか１項に記載の洗濯機。
【発明の詳細な説明】
【技術分野】
【０００１】
本発明の実施形態は、洗濯機に関する。
【背景技術】
【０００２】
例えば特許文献１に開示されているように、パルセータを回転させることにより槽内の水を循環させる循環水路を備える洗濯機においては、その循環水路に、糸屑などの異物を捕獲するためのフィルタを備える構成が考えられている。
【先行技術文献】
【特許文献】
【０００３】
【特許文献１】特開２０１４−２３０５５４号公報
【発明の概要】
【発明が解決しようとする課題】
【０００４】
ところで、循環水路にフィルタを備える構成では、そのフィルタにより流路抵抗が大きくなることから、循環水路から槽内に戻される循環水の勢いや単位時間あたりの吐出量が低下するおそれがある。このような場合、循環水による洗浄効果を十分に発揮することができない。一方で、例えばおしゃれ着などを洗濯するドライ運転においては、一度に洗う洗濯物量が少ない場合が多いため、通常の洗濯運転に比べ、発生する糸屑などの異物の量も少なくなり、従って、フィルタの必要性も低くなる。このようにフィルタの必要性が高くない運転において、フィルタによる流路抵抗により循環水の勢いや単位時間あたりの吐出量が低下するようでは、循環水による洗浄効果が必要性の低いフィルタの影響を受けて損なわれることとなり、循環水による洗浄効果を十分に活用することができない。
【０００５】
そこで、槽内の水を循環させる循環水路にフィルタを備える構成の洗濯機に関し、フィルタの必要性が高い運転では、フィルタによる異物の捕獲機能を十分に活用することができ、一方、フィルタの必要性が低い運転では、フィルタの影響を排除して、循環水による洗浄効果を十分に発揮することができる構成を提供する。
【課題を解決するための手段】
【０００６】
本実施形態に係る洗濯機は、水槽、回転槽、循環水路、アタッチメント取付部を備える。回転槽は、前記水槽内に回転可能に設けられている。循環水路は、前記回転槽の内周面に設けられ、前記水槽内の水を循環させる。アタッチメント取付部は、前記循環水路の一部に設けられ、アタッチメントが着脱可能に取り付けられる。前記アタッチメント取付部は、フィルタを有するフィルタアタッチメントが取り付け可能であるとともに、前記フィルタアタッチメントに代えて、前記フィルタアタッチメントとは異なる種類のアタッチメントも取り付け可能である。
【図面の簡単な説明】
【０００７】
【図１】本実施形態に係る洗濯機の構成例を概略的に示す縦断側面図
【図２】第１実施形態に係る循環水路の構成例を概略的に示す正面図
【図３】第１実施形態に係る循環水路の構成例を概略的に示す縦断側面図
【図４】第２実施形態に係る循環水路の構成例を概略的に示す正面図
【図５】第２実施形態に係る循環水路の構成例を概略的に示す縦断側面図
【図６】第３実施形態に係る循環水路の構成例を概略的に示す正面図（その１）
【図７】第３実施形態に係る循環水路の構成例を概略的に示す正面図（その２）
【図８】変形実施形態に係るフィルタアタッチメントとは異なる種類のアタッチメントの構成例を概略的に示す正面図（その１）
【図９】変形実施形態に係るフィルタアタッチメントとは異なる種類のアタッチメントの構成例を概略的に示す正面図（その２）
【図１０】変形実施形態に係るフィルタアタッチメントとは異なる種類のアタッチメントの構成例を概略的に示す縦断側面図
【発明を実施するための形態】
【０００８】
以下、洗濯機に係る複数の実施形態について図面を参照しながら説明する。なお、複数の実施形態において実質的に同一の要素には同一の符号を付し、その説明を省略する。
【０００９】
（第１実施形態）
図１に例示する洗濯機１０は、回転槽の回転中心軸が垂直方向に延びる、いわゆる縦軸型の洗濯機である。洗濯機１０は、その外郭を構成する外箱１１の内部に、上面が開放した有底円筒状の水槽１２を備える。水槽１２は、図示しない周知の弾性吊持機構によって弾性的に支持されている。外箱１１の内部には、図示しない給水機構部が設けられている。給水機構部は、水槽１２に接続されている給水経路中に給水弁、注水ケースなどを備えており、水槽１２の内部に水を供給する。また、外箱１１の内部には、図示しない排水機構部が設けられている。排水機構部は、水槽１２の底部から機外に延びる排水経路中に排水弁などを備えており、水槽１２内の水を機外に排出する。
【００１０】
水槽１２の内部には、上面が開放した有底円筒状の回転槽１３が回転可能に設けられている。回転槽１３は、衣類が収容される槽の一例である。回転槽１３は、垂直な軸線を中心に回転するように構成されており、洗濯物を洗う洗い行程および洗濯物をすすぐすすぎ行程における洗濯槽、および、洗濯物を脱水する脱水行程における脱水槽として兼用される。回転槽１３の内部の底部には、パルセータ１４が回転可能に設けられている。
【００１１】
パルセータ１４の裏面、つまり、回転槽１３の底部に対向する面には、複数枚のフィン１４ａが設けられている。フィン１４ａは、パルセータ１４の裏面において、当該パルセータ１４の中央部から周端部に向かって放射状に延びている。また、フィン１４ａは、パルセータ１４の中央部から周端部に向かって直線状に延びている。なお、フィン１４ａは、パルセータ１４の中央部から周端部に向かって曲線を帯びるように放物線状に曲がった形状であってもよい。
【００１２】
回転槽１３の底部の上面とパルセータ１４の裏面との間にはポンプ空間部１５が形成されている。フィン１４ａは、このポンプ空間部１５内に収容されている。詳しくは後述するように、このポンプ空間部１５内においてパルセータ１４の回転に伴いフィン１４ａが回転することにより、ポンプ機能が実現される。即ち、このポンプ空間部１５は、いわゆるポンプ室として機能する。
【００１３】
水槽１２の下部の中央部には駆動機構部１６が設けられている。この駆動機構部１６は、可変速駆動が可能なモータ、クラッチ機構、ブレーキ装置などを備えている。洗い行程時またはすすぎ行程時においては、駆動機構部１６は、モータの回転力を、クラッチ機構によってパルセータ１４に伝達する。脱水行程時においては、駆動機構部１６は、モータの回転力を、クラッチ機構によって回転槽１３およびパルセータ１４に高速で伝達する。
【００１４】
そして、回転槽１３の内周面には、当該回転槽１３の軸方向、つまり、上下方向に沿って直線状に延びる循環水路１７が設けられている。循環水路１７の下端部は、ポンプ空間部１５に連通されている。パルセータ１４が回転すると、当該パルセータ１４とともにフィン１４ａがポンプ空間部１５内において回転する。そして、ポンプ空間部１５内において回転するフィン１４ａにより、ポンプ空間部１５内の水が当該ポンプ空間部１５の外周側、つまり、循環水路１７側に押し出されるようになり、これにより、ポンプ空間部１５内の水が循環水路１７を通して上昇するようになる。即ち、洗濯機１０は、ポンプ空間部１５内においてフィン１４ａを回転させることにより、水槽１２内の水を、循環水路１７を通して上昇させるポンプ機能を備えている。
【００１５】
循環水路１７には、アタッチメント取付部２０が設けられている。この場合、アタッチメント取付部２０は、循環水路１７の上下方向のほぼ中央部に設けられており、循環水路１７の長手方向に沿って延びる長尺な矩形の開口部となっている。このアタッチメント取付部２０には、複数種類のアタッチメントが着脱可能に取り付け可能となっている。この場合、アタッチメント取付部２０には、同時に１つのアタッチメントが取り付けられるようになっている。即ち、洗濯機１０は、アタッチメント取付部２０に取り付けるアタッチメントを交換可能な構成となっている。
【００１６】
図１においては、アタッチメント取付部２０に、フィルタアタッチメント３１が取り付けられている。フィルタアタッチメント３１は、アタッチメント取付部２０の開口形状に対応する長尺な矩形のケース３１ａ内に、メッシュ状のフィルタ３１ｂを備えた構成となっている。ケース３１ａの表面および裏面には、通水可能な複数の孔あるいはスリットが設けられている。
【００１７】
アタッチメント取付部２０にフィルタアタッチメント３１が取り付けられた状態において、パルセータ１４の回転により循環水路１７内において水が上昇すると、その上昇する水は、循環水路１７内からフィルタアタッチメント３１を通過して循環水路１７の外、つまり、回転槽１３内に戻さされる。このとき、フィルタアタッチメント３１を通過する水に含まれる例えば糸屑などの異物は、フィルタ３１ｂにより捕獲される。これにより、フィルタ３１ｂによりろ過された水が回転槽１３内に戻されるようになる。
【００１８】
アタッチメント取付部２０には、上述したフィルタアタッチメント３１に代えて、このフィルタアタッチメント３１とは異なる種類のアタッチメントも取り付け可能に構成されている。即ち、図２および図３に例示するように、アタッチメント取付部２０には、フィルタアタッチメント３１に代えて、吐出口付きカバーアタッチメント４１が取り付け可能となっている。この吐出口付きカバーアタッチメント４１は、アタッチメント取付部２０の開口形状に対応する長尺な矩形のケース部材４１ａを主体として構成されており、アタッチメント取付部２０に取り付けられることにより、このアタッチメント取付部２０を塞ぐ。また、ケース部材４１ａの下部には、下方に向かって開放する開口部４１ｂが設けられている。
【００１９】
吐出口付きカバーアタッチメント４１は、主としてアタッチメント取付部２０を閉塞する機能を発揮するものであるが、その一部に、吐出口４１ｃを備えている。この吐出口４１ｃは、水平方向に沿ってスリット状に延びており、本実施形態では、吐出口付きカバーアタッチメント４１の上部側に設けられている。
【００２０】
アタッチメント取付部２０に吐出口付きカバーアタッチメント４１が取り付けられた状態において、パルセータ１４の回転により循環水路１７内において水が上昇すると、図３に矢印Ｗで示すように、その上昇する水の大部分は、循環水路１７内において、ケース部材４１ａの開口部４１ｂから吐出口付きカバーアタッチメント４１内に流入する。なお、循環水路１７内を上昇する水のうち吐出口付きカバーアタッチメント４１内に流入しなかった水は、そのまま吐出口付きカバーアタッチメント４１の裏面側を上昇して循環水路１７内の上部に至る。このとき、循環水路１７の上部つまり吐出口付きカバーアタッチメント４１よりも上側には吐出口のような開口部が設けられていないことから、循環水路１７内の上部に至った水は、パルセータ１４によるポンプ作用が弱まると、吐出口付きカバーアタッチメント４１の裏面側を下降してポンプ空間部１５内に戻る。
【００２１】
一方、吐出口付きカバーアタッチメント４１内に流入した水は、そのまま当該吐出口付きカバーアタッチメント４１内を上昇して吐出口４１ｃから吐出される。これにより、循環水路１７内を循環する水は、循環水路１７内から吐出口付きカバーアタッチメント４１の吐出口４１ｃを通過して循環水路１７の外、つまり、回転槽１３内に戻される。このとき、吐出口付きカバーアタッチメント４１にはフィルタが設けられていないことから、吐出口付きカバーアタッチメント４１内を上昇する水は、その上昇の過程においてフィルタによる流路抵抗を受けることなく、吐出口４１ｃから回転槽１３内に吐出される。また、本実施形態では、吐出口４１ｃは、吐出口付きカバーアタッチメント４１の上部側、換言すれば、循環水路１７の上部側に設けられている。そのため、循環水路１７内を上昇して吐出口４１ｃから吐出する水は、回転槽１３内の洗濯物に対して、上方から降り掛けられるようにして供給される。
【００２２】
本実施形態に係る洗濯機１０によれば、一度に多量の洗濯物を洗うことが想定される例えば通常の洗濯運転など、フィルタ３１ｂの必要性が比較的高い運転を実行する場合には、アタッチメント取付部２０にフィルタアタッチメント３１を取り付けることにより、フィルタ３１ｂによって糸屑などの異物が除去された循環水を循環させながら洗濯物を洗うことができ、フィルタ３１ｂによる異物の捕獲機能を十分に活用することができる。
【００２３】
一方、少量の洗濯物を洗う場合が多い例えばドライ運転など、フィルタ３１ｂの必要性が比較的低い運転を実行する場合には、フィルタアタッチメント３１に代えて、アタッチメント取付部２０に吐出口付きカバーアタッチメント４１を取り付けることにより、フィルタ３１ｂによる流路抵抗増大の影響を受けずに循環水を循環させることができ、循環水による洗浄効果を十分に発揮することができる。
【００２４】
以上の通り、本実施形態に係る洗濯機１０によれば、実行する運転におけるフィルタ３１ｂの必要性に応じてアタッチメント取付部２０に取り付けるアタッチメントを適宜交換することにより、その実行する運転に適した態様により洗濯物を洗うことができる。
【００２５】
また、本実施形態によれば、アタッチメント取付部２０には、フィルタアタッチメント３１に代えて、吐出口付きカバーアタッチメント４１が着脱可能に取り付けられる。この構成によれば、アタッチメント取付部２０に吐出口付きカバーアタッチメント４１が取り付けられた状態では、アタッチメント取付部２０が吐出口付きカバーアタッチメント４１により閉塞され、循環水路１７内にフィルタを有しない流路を構築することができる。このような循環水路１７によれば、フィルタによる流路抵抗の影響を受けることなく、循環水を勢い良く上昇させて回転槽１３内に戻すことができる。
【００２６】
また、吐出口付きカバーアタッチメント４１には吐出口４１ｃが設けられているから、循環水路１７内を勢い良く上昇する循環水は、その勢いを維持したまま吐出口４１ｃから回転槽１３内に吐出するようになる。従って、回転槽１３内の洗濯物に循環水を十分な量で、且つ、十分な勢いで供給することができ、循環水による洗浄効果を一層向上することができる。
【００２７】
（第２実施形態）
図４に例示する循環水路５７は、循環水路１７と同様に回転槽１３の内周面に設けられるものであり、回転槽１３の軸方向、つまり、上下方向に沿って直線状に延びる。この循環水路５７は、循環水路１７と同様にアタッチメント取付部２０を備えている。また、循環水路５７は、アタッチメント取付部２０以外の部分、この場合、アタッチメント取付部２０よりも上側の部分に吐出口５７ｃを備えている。吐出口５７ｃは、水平方向に沿ってスリット状に延びており、本実施形態では、循環水路５７の上部側、この場合、少なくともアタッチメント取付部２０よりも上側に設けられている。
【００２８】
本実施形態では、アタッチメント取付部２０には、フィルタアタッチメント３１に代えて、吐出口無しカバーアタッチメント６１が取り付け可能となっている。この吐出口無しカバーアタッチメント６１は、アタッチメント取付部２０の開口形状に対応する長尺な矩形のカバー部材で構成されており、アタッチメント取付部２０に取り付けられることにより、このアタッチメント取付部２０を塞ぐ。吐出口無しカバーアタッチメント６１は、１枚の板状の部材により構成されている。また、吐出口無しカバーアタッチメント６１は、例えば吐出口のような通水可能な開口部を有しておらず、主としてアタッチメント取付部２０を閉塞する機能を発揮する。
【００２９】
アタッチメント取付部２０に吐出口無しカバーアタッチメント６１が取り付けられた状態において、パルセータ１４の回転により循環水路５７内において水が上昇すると、図５に矢印Ｗで示すように、その上昇する水は、循環水路５７内において、吐出口無しカバーアタッチメント６１の裏面側を上昇して循環水路５７内の上部に至る。このとき、循環水路５７の上部、この場合、吐出口無しカバーアタッチメント６１よりも上側の部分に吐出口５７ｃが設けられていることから、循環水路５７内の上部に至った水は、吐出口無しカバーアタッチメント６１よりも上方の吐出口５７ｃを通過して循環水路５７の外、つまり、回転槽１３内に戻さされる。
【００３０】
このとき、吐出口５７ｃよりも下方に存在する吐出口無しカバーアタッチメント６１にはフィルタが設けられていないことから、この吐出口無しカバーアタッチメント６１の裏面側を通過して吐出口５７ｃに上昇する水は、その上昇の過程においてフィルタによる流路抵抗を受けることなく、吐出口５７ｃから回転槽１３内に吐出される。また、本実施形態では、吐出口５７ｃは、吐出口無しカバーアタッチメント６１よりも上側、換言すれば、循環水路５７の上部側に設けられている。そのため、循環水路５７内を循環して吐出口５７ｃから吐出する水は、回転槽１３内の洗濯物に対して、上方から降り掛けられるようにして供給される。
【００３１】
本実施形態によれば、アタッチメント取付部２０には、フィルタアタッチメント３１に代えて、吐出口無しカバーアタッチメント６１が着脱可能に取り付けられる。この構成によれば、アタッチメント取付部２０に吐出口無しカバーアタッチメント６１が取り付けられた状態では、アタッチメント取付部２０が吐出口無しカバーアタッチメント６１により閉塞され、循環水路５７内にフィルタを有しない流路を構築することができる。このような循環水路５７によれば、フィルタによる流路抵抗の影響を受けることなく、循環水を勢い良く上昇させて回転槽１３内に戻すことができる。
【００３２】
また、循環水路５７において吐出口無しカバーアタッチメント６１よりも上側には吐出口５７ｃが設けられているから、循環水路５７内を勢い良く上昇する循環水は、その勢いを維持したまま吐出口５７ｃから回転槽１３内に吐出するようになる。従って、回転槽１３内の洗濯物に循環水を十分な量で、且つ、十分な勢いで供給することができ、循環水による洗浄性能を一層向上することができる。
【００３３】
（第３実施形態）
図６および図７に例示するように、洗濯機１０は、パッキン７１を備える構成としてもよい。この場合、パッキン７１は、フィルタアタッチメント３１の下部、吐出口付きカバーアタッチメント４１の下部、吐出口無しカバーアタッチメント６１の下部にそれぞれ設けられている。アタッチメント３１，４１，６１の下部にそれぞれ設けられたパッキン７１は、これらアタッチメント３１，４１，６１がそれぞれアタッチメント取付部２０に取り付けられた状態において、各アタッチメント３１，４１，６１の下部とアタッチメント取付部２０の下部との間を水密に塞ぐ。
【００３４】
本実施形態によれば、循環水路１７，５７内を上昇する水が、アタッチメント３１，４１，６１とアタッチメント取付部２０との間、この場合、特に、アタッチメント３１，４１，６１の下部とアタッチメント取付部２０の下部との接続部分において、循環水路１７，５７の外、つまり、回転槽１３内に漏れ出すことを回避することができる。よって、循環水路１７，５７内を上昇する循環水の勢いや量が減少してしまうことを防止することができる。
【００３５】
なお、パッキン７１を設ける位置は適宜変更可能であり、例えば、各アタッチメント３１，４１，６１の側部や上部にも設けてもよい。また、各アタッチメント３１，４１，６１だけでなくアタッチメント取付部２０にもパッキンを備える構成としてもよい。また、各アタッチメント３１，４１，６１ではなくアタッチメント取付部２０にパッキンを備える構成としてもよい。この場合、パッキンを設ける位置は、アタッチメント取付部２０の下辺部に限られるものではなく、例えば、左右の両辺部や上辺部にも設ける構成としてもよい。
【００３６】
（その他の実施形態）
本実施形態は、上述した複数の実施形態に限られるものではなく、例えば、次のように拡張または変更してもよい。即ち、図８および図９に例示するように、フィルタアタッチメント３１に代えてアタッチメント取付部２０に着脱可能に取り付けられるアタッチメントは、複数の吐出口を備える構成であってもよい。
【００３７】
図８に例示する吐出口付きカバーアタッチメント８１は、この場合、２つの吐出口８１ｃを備えている。これら吐出口８１ｃは、吐出口付きカバーアタッチメント８１の上部および中部に分かれて２段で構成されている。吐出口付きカバーアタッチメント８１の内部には１つの流路８１ｒが形成されており、２つの吐出口８１ｃは、何れも、この流路８１ｒに連通している。
【００３８】
この構成例によれば、循環水路の上部および中部の２か所から循環水を吐出することができ、異なる位置から循環水を吐出することにより、循環水による洗浄効果の向上を図ることができる。なお、吐出口８１ｃの数は、２つに限られるものではなく、３つ以上の複数であってもよい。また、複数の吐出口８１ｃの形状や大きさは、相互に同じとしてもよいし、異ならせてもよい。
【００３９】
また、図９に例示する吐出口付きカバーアタッチメント９１も、この場合、２つの吐出口９１ｃ１，９１ｃ２を備えている。これら吐出口９１ｃ１，９１ｃ２は、吐出口付きカバーアタッチメント９１の上部および中部に分かれて２段で構成されている。吐出口付きカバーアタッチメント９１の内部には２つの流路９１ｒ１，９１ｒ２が形成されている。このうち、流路９１ｒ１は、吐出口付きカバーアタッチメント９１の下端から上端までのほぼ全長にわたって設けられており、流路９１ｒ２は、吐出口付きカバーアタッチメント９１の下端から中央部までにわたって設けられている。そして、吐出口９１ｃ１は、流路９１ｒ１に連通し、吐出口９１ｃ２は、流路９１ｒ２に連通している。
【００４０】
この構成例によっても、循環水路の上部および中部の２か所から循環水を吐出することができ、異なる位置から循環水を吐出することにより、循環水による洗浄効果の向上を図ることができる。なお、この場合も、吐出口の数は、２つに限られるものではなく、３つ以上の複数であってもよい。また、複数の吐出口の形状や大きさは、相互に同じとしてもよいし、異ならせてもよい。
【００４１】
また、図１０に例示するように、フィルタアタッチメント３１に代えてアタッチメント取付部２０に着脱可能に取り付けられるアタッチメントは、複数のビードを備える構成であってもよい。図１０に例示するビード付きカバーアタッチメント１０１は、その表面、この場合、アタッチメント取付部２０に取り付けられた状態で回転槽１３内に臨む面に、回転槽１３内に向かって突出する複数のビード１０１ｂを備えている。この構成例によれば、運転中に回転槽１３内の洗濯物がビード１０１ｂに接触することにより、洗濯物とビード１０１ｂとの摩擦による洗浄効果の向上を期待することができる。
【００４２】
以上の通り、フィルタアタッチメント３１に代えてアタッチメント取付部２０に着脱可能に取り付けられるアタッチメントは、フィルタを備えない構成であれば、種々のアタッチメントを適用することができる。
【００４３】
本実施形態に係る洗濯機によれば、循環水路の一部に設けられるアタッチメント取付部は、フィルタを有するフィルタアタッチメントが取り付け可能であるとともに、このフィルタアタッチメントに代えて、当該フィルタアタッチメントとは異なる種類のアタッチメントも取り付け可能に構成されている。この構成例によれば、フィルタの必要性が高い運転では、フィルタアタッチメントを取り付けることで、フィルタによる異物の捕獲機能を十分に活用することができ、一方、フィルタの必要性が低い運転では、フィルタアタッチメントとは異なる種類のアタッチメントを取り付けることで、フィルタの影響を排除して、循環水による洗浄効果を十分に発揮することができる。
【００４４】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４５】
図面中、１０は洗濯機、１２は水槽、１３は回転槽、１７，５７は循環水路、２０はアタッチメント取付部、３１はフィルタアタッチメント、３１ｂはフィルタ、４１は吐出口付きカバーアタッチメント（フィルタアタッチメントとは異なる種類のアタッチメント）、４１ｃ，５７ｃ，８１ｃ，９１ｃ１，９１ｃ２は吐出口、６１は吐出口無しカバーアタッチメント（フィルタアタッチメントとは異なる種類のアタッチメント）、７１はパッキン、１０１はビード付きカバーアタッチメント（フィルタアタッチメントとは異なる種類のアタッチメント）を示す。
【図１】
2019024526.tif 000003
【図２】
2019024526.tif 000004
【図３】
2019024526.tif 000005
【図４】
2019024526.tif 000006
【図５】
2019024526.tif 000007
【図６】
2019024526.tif 000008
【図７】
2019024526.tif 000009
【図８】
2019024526.tif 000010
【図９】
2019024526.tif 000011
【図１０】
2019024526.tif 000012